(57)【特許請求の範囲】
【請求項１】
（ａ）一端縁に沿って配列された複数の端子部材を一方の面に備え、比較的幅の広い一端縁で形成された第１のタイプのカードと、比較的幅の狭い一端縁である幅狭部が形成された第２のタイプのカードを排他的に収容する空洞部を備えるハウジングと、
（ｂ）該ハウジングに取付けられ、前記第１及び第２のタイプのカードの端子部材と接触する第１及び第２接続端子と、
（ｃ）前記ハウジングに一端が回動可能に取付けられ、前記ハウジング並びに該ハウジングに収容された前記第１及び第２のタイプのカードの少なくとも一部の上方を覆って蓋をするためのカバー部材とを有するカード用コネクタにおいて、
（ｄ）前記ハウジングは、前記空洞部の奥側に形成され、前記幅狭部よりも幅が広く、前記第１のタイプのカードよりも幅の狭い幅狭空洞部を備えるとともに、一方の側壁部に形成された第１係合凸部及び第２係合凸部、並びに、他方の側壁部に形成された第３係合凸部を備え、
（ｅ）前記第１のタイプのカードは、一方の側壁に形成された第１凹部及び第２凹部、並びに、他方の側壁に形成された第３凹部を備え、前記幅狭空洞部内に位置しないように前記空洞部内に収容されるとともに、前記第１凹部、第２凹部及び第３凹部が、前記第１係合凸部、第２係合凸部及び第３係合凸部に各々係合するように前記空洞部内に収容され、（ｆ）前記第２のタイプのカードは、一方の側壁に形成された第１凹部を備え、前記幅狭部の少なくとも一部が前記幅狭空洞部内に位置するように前記空洞部内に収容されるとともに、前記第１凹部が前記第１係合凸部に係合するように前記空洞部内に収容されることを特徴とするカード用コネクタ。
【請求項２】
（ａ）前記第２接続端子は前記幅狭空洞部内に配設され、
（ｂ）前記第１接続端子は前記幅狭空洞部よりも手前側の位置に配設される請求項１に記載のカード用コネクタ。
【請求項３】
（ａ）前記ハウジングは、前記幅狭空洞部の境界において一方の側壁部に形成された第１カード用進入防止第１凸部及び他方の側壁部に形成された第１カード用進入防止第２凸部を備え、
（ｂ）前記第１のタイプのカードは、前端が前記第１カード用進入防止第１凸部及び第１カード用進入防止第２凸部に対向するように前記ハウジングの空洞部内に収容され、
（ｃ）前記第２のタイプのカードは、前端縁と一方の側壁の角部を欠落させる形状の前方切欠部を備え、前記第１カード用進入防止第１凸部が前記前方切欠部内に位置するように前記ハウジングの空洞部内に収容される請求項１に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ミニＳＤ（Ｒ）カード、メモリスティック（Ｒ）、スマートメディア（Ｒ）等の各種メモリカードを利用するために、カード用コネクタを備えている。
【０００３】
近年、電子機器の多様化に伴って、メモリカードも多様化される傾向にある。そのため、１種類のメモリカードだけでなく、２種類のメモリカードを装填（てん）することができるカード用コネクタが提案されている（例えば、特許文献１参照。）。
【０００４】
図７は従来のカード用コネクタを示す図である。
【０００５】
図において、３０１はカード用コネクタのハウジングであり、該ハウジング３０１の奥壁には、図示されない第１のカードのコンタクトパッドと接触して電気的に導通する第１のコネクタ端子３０２が複数本配設されている。そして、前記ハウジング３０１の内底面３０３の奥壁近傍には、各第１のコネクタ端子３０２を収容する窓孔（あな）部３０４が複数個形成されている。また、前記内底面３０３には、奥壁と反対側に寄った位置に、第２のカード３０６を収容するための収容凹部３０５が形成されている。
【０００６】
前記第２のカード３０６は、複数のコンタクトパッド３０７を備え、該コンタクトパッド３０７が下を向くような姿勢で収容凹部３０５内に収容される。該収容凹部３０５の面上には、前記コンタクトパッド３０７と接触して電気的に導通する図示されない第２のコネクタ端子が複数本配設されている。
【特許文献１】特開２００３−１３２９７７号公報
【発明の開示】
【発明が解決しようとする課題】
【０００７】
しかしながら、前記従来のカード用コネクタは、大きさ及び形状の相違する第１のカードと第２のカード３０６とを層にして重ねるように装填する。そのため、ハウジングにはその層ごとにカードを装填し位置決めするガイド（収容凹部３０５）を形成してある。
【０００８】
特に、この従来のカード用コネクタの場合、下層に装填するカードが上層に装填するカードより小さいため、ハウジングには容易にそのガイドを形成することができる。
【０００９】
しかしながら、このカード用コネクタではカードを二層にして重ねるように装填するため厚みが厚く小型の電子機器に装着することが困難である。
【００１０】
使用上、異なる形状のカードを２枚同時に装填しようという要望は少なく、犬きさ及び形状の相違するカードを誤使用なく選択的に用いながら小型化を図ることが強く要求されている。
【００１１】
本発明は、前記従来のカード用コネクタの問題点を解決して、二つの層になることなく大きさ及び形状の相違するカードを排他的かつ選択的にハウジングヘ装填することができるようにし、厚さ寸法が微小で小型であるとともに、２種類のカードを容易に、かつ、確実に装填することができるカード用コネクタを提供することを目的とする。
【課題を解決するための手段】
【００１２】
そのために、本発明のカード用コネクタにおいては、一端縁に沿って配列された複数の端子部材を一方の面に備え、比較的幅の広い一端縁で形成された第１のタイプのカードと、比較的幅の狭い一端縁である幅狭部が形成された第２のタイプのカードを排他的に収容する空洞部を備えるハウジングと、該ハウジングに取付けられ、前記第１及び第２のタイプのカードの端子部材と接触する第１及び第２接続端子と、前記ハウジングに一端が回動可能に取付けられ、前記ハウジング並びに該ハウジングに収容された前記第１及び第２のタイプのカードの少なくとも一部の上方を覆って蓋（ふた）をするためのカバー部材とを有するカード用コネクタにおいて、前記ハウジングは、前記空洞部の奥側に形成され、前記幅狭部よりも幅が広く、前記第１のタイプのカードよりも幅の狭い幅狭空洞部を備えるとともに、一方の側壁部に形成された第１係合凸部及び第２係合凸部、並びに、他方の側壁部に形成された第３係合凸部を備え、前記第１のタイプのカードは、一方の側壁に形成された第１凹部及び第２凹部、並びに、他方の側壁に形成された第３凹部を備え、前記幅狭空洞部内に位置しないように前記空洞部内に収容されるとともに、前記第１凹部、第２凹部及び第３凹部が、前記第１係合凸部、第２係合凸部及び第３係合凸部に各々係合するように前記空洞部内に収容され、前記第２のタイプのカードは、一方の側壁に形成された第１凹部を備え、前記幅狭部の少なくとも一部が前記幅狭空洞部内に位置するように前記空洞部内に収容されるとともに、前記第１凹部が前記第１係合凸部に係合するように前記空洞部内に収容される。
【００１３】
本発明の他のカード用コネクタにおいては、さらに、前記第２接続端子は前記幅狭空洞部内に配設され、前記第１接続端子は前記幅狭空洞部よりも手前側の位置に配設される。
【００１５】
本発明の更に他のカード用コネクタにおいては、さらに、前記ハウジングは、前記幅狭空洞部の境界において一方の側壁部に形成された第１カード用進入防止第１凸部及び他方の側壁部に形成された第１カード用進入防止第２凸部を備え、前記第１のタイプのカードは、前端が前記第１カード用進入防止第１凸部及び第１カード用進入防止第２凸部に対向するように前記ハウジングの空洞部内に収容され、前記第２のタイプのカードは、前端縁と一方の側壁の角部を欠落させる形状の前方切欠部を備え、前記第１カード用進入防止第１凸部が前記前方切欠部内に位置するように前記ハウジングの空洞部内に収容される。
【００１７】
このような構成によれば、ハウジングの空洞部にその深さに亘って設けられた一つの係合凸部が、第１のカードに対してその凹部と係合し、第２のカードに対してその外周形状をガイドすることによって、大きさ及び形状の異なるカードを排他的かつ選択的にハウジングヘ収容することができる。
【発明の効果】
【００１８】
本発明によれば、カード用コネクタは、２種類のカードの装填位置が各カードの先端部の幅寸法に応じて前後方向に相違するようになっている。これにより、前端縁に沿って配列された複数の接続端子を一方の面に備える２種類のカードを排他的に装填することができ、厚さ寸法が微小で小型なカード用コネクタを得ることができる。さらに、２種類のカードを容易に、かつ、確実に装填することができる。
【００１９】
また、２種類のカードの外周形状の違いを利用して、排他的かつ選択的にカードをコネクタヘ装填することも可能である。この場合、カードを収容する空洞部を形成するハウジングの側壁に凸部を形成するだけの簡単な構成で、厚さ寸法が微小で小型なカード用コネクタを得ることができる。
【発明を実施するための最良の形態】
【００２０】
以下、本発明の実施の形態について図面を参照しながら詳細に説明する。
【００２１】
図１は本発明の実施の形態におけるカード用コネクタを示す斜視図である。
【００２２】
図において、１０は本実施の形態におけるカード用コネクタであり、図示されない電子機器に取付けられる。そして、前記カード用コネクタ１０の内部には後述される２種類のカード、すなわち、第１のタイプのカードである第１カード３１及び第２のタイプのカードである第２カード４１のいずれかが排他的に装填され、前記カード用コネクタ１０を介して、前記電子機器に第１カード３１又は第２カード４１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２３】
また、第１カード３１及び第２カード４１は、例えば、ＳＩＭカード、ＭＭＣ（Ｒ）、ＳＤ（Ｒ）カード、ミニＳＤ（Ｒ）カード、メモリスティック（Ｒ）、スマートメディア（Ｒ）、Ｔ−Ｆｌａｓｈ（Ｔｒａｎｓ  Ｆｌａｓｈ）メモリーカード等のＩＣカードであり、いかなる種類のカードであってもよいが、本実施の形態においては、第１カード３１がメモリスティックマイクロ（Ｒ）であり、第２カード４１がマイクロＳＤ（Ｒ）カードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００２４】
ここで、前記カード用コネクタ１０は、合成樹脂等の絶縁性材料によって一体的に成形された第１カード３１及び第２カード４１のいずれかを１枚だけ収容するハウジング１１と、金属等の導電性材料から成る板材に打抜き、折曲げ等の加工を施すことによって成形され、ハウジング１１に回動可能に取付けられたカバー部材２１とを有する。該カバー部材２１はハウジング１１の上方を覆って蓋をする部材であり、図１は、カバー部材２１が蓋を開けた位置にある状態を示している。なお、後述されるように、カバー部材２１が蓋を閉じた位置にある状態において、カード用コネクタ１０は、概略扁（へん）平な直方体形状を備える。
【００２５】
図に示されるように、ハウジング１１は、前縁側、すなわち、手前側（図１における右側）が略Ｕ字状又はコ字状に切取られた形状を備える底壁部１１ａ、及び、該底壁部１１ａの奥部において奥側（図１における左側）の縁に沿って延在し、底壁部１１ａから立設する奥壁部１１ｂを有する。ここで、底壁部１１ａには、方形の第１端子収容開口１１ｆ及び第２端子収容開口１１ｅが形成され、前記第１端子収容開口１１ｆ内には第１端子１２が複数本並んで配設され、前記第２端子収容開口１１ｅ内には第２端子１３が複数本並んで配設されている。なお、第２端子収容開口１１ｅは、奥壁部１１ｂに隣接してその手前側に形成され、第１端子収容開口１１ｆは第２端子収容開口１１ｅよりも手前側に形成されている。
【００２６】
前記第１端子１２は、第１カード３１用の接続端子であり、金属板等のばね性を備える導電性の板材から成り、カンチレバー状に形成され、その根本部が底壁部１１ａにおける第１端子収容開口１１ｆよりも手前側の部分に取付けられ、また、その先端部が、第１端子収容開口１１ｆ内において、奥壁部１１ｂに向けて斜め上方に延在して底壁部１１ａの上面より上方に突出している。前記第１端子１２の先端部１２ｂは、接触部として機能し、第１カード３１の下面に配設された後述される端子部材としてのコンタクトパッド３２の各々に弾性的に当接して電気的に接続される。さらに、前記第１端子１２の根本部から延在するソルダーテール部１２ａは、底壁部１１ａの手前側の縁から手前に向けて突出し、前記電子機器における配線基板等に形成された信号線、コンタクトパッド、端子等、すなわち、相手側端子部材に、はんだ付等によって電気的に接続される。
【００２７】
一方、前記第２端子１３は、第２カード４１用の接続端子であり、金属板等のばね性を備える導電性の板材から成り、カンチレバー状に形成され、その根本部が奥壁部１１ｂに取付けられ、また、その先端部が、第２端子収容開口１１ｅ内において、奥壁部１１ｂから手前側に向けて斜め上方に延在して底壁部１１ａの上面より上方に突出している。前記第２端子１３の先端部１３ｂは、接触部として機能し、第２カード４１の下面に配設された後述される端子部材としてのコンタクトパッド４２の各々に弾性的に当接して電気的に接続される。さらに、前記第２端子１３の根本部から延在するソルダーテール部１３ａ（図４〜６参照）は、奥壁部１１ｂの奥側の縁から更に奥方に向けて突出し、前記配線基板等に形成された信号線、コンタクトパッド、端子等、すなわち、相手側端子部材に、はんだ付等によって電気的に接続される。
【００２８】
そして、ハウジング１１は、底壁部１１ａの一方の側縁に沿って前後方向に延在する側壁部としての第１側壁部１１ｄ、及び、底壁部１１ａの他方の側縁に沿って前後方向に延在する側壁部としての第２側壁部１１ｃを有する。該第２側壁部１１ｃの手前側端には、取付用補助金具１８が取付けられている。該取付用補助金具１８は、カード用コネクタ１０を電子機器における配線基板等に固定するために、該配線基板等に形成された接続部に固定される。また、前記第１側壁部１１ｄの奥壁部１１ｂ寄りの部位には、第２端子１３が装填され、そのコンタクトパッド４２が第２端子１３と電気的に接続されていることを検出するディテクトスイッチ１４が配設され、該ディテクトスイッチ１４のソルダーテール部１４ａが第１側壁部１１ｄの手前側端から突出している。前記ソルダーテール部１４ａは、取付用補助金具としての機能も備え、前記配線基板等に形成された信号線、コンタクトパッド、端子等、すなわち、相手側端子部材に、はんだ付等によって電気的に接続される。
【００２９】
また、前記第１側壁部１１ｄの内側面には、第１カード３１の一側壁に形成された後述される第１凹部３３ａ及び第２凹部３３ｂと各々係合する第１係合凸部１１ｇ及び第２係合凸部１１ｈが形成されている。一方、前記第２側壁部１１ｃの内側面には、第１カード３１の他側壁に形成された後述される第３凹部３３ｃと係合する第３係合凸部１１ｉが形成されている。前記底壁部１１ａ、第２側壁部１１ｃ及び第１側壁部１１ｄによって画定される凹状の空洞部内に、第１カード３１を、第１係合凸部１１ｇ、第２係合凸部１１ｈ及び第３係合凸部１１ｉに第１凹部３３ａ、第２凹部３３ｂ及び第３凹部３３ｃが係合するような姿勢で収容させることによって、第１カード３１を所定の位置に、所定の姿勢でハウジング１１に装填することができる。この第３係合凸部１１ｉは第２カード４１をハウジング１１の空洞部内へ収容させたときには、その外周部をガイドしてその位置を安定させる。この第３係合凸部１１ｉは空洞部の深さに亘ってカードの厚み方向へ形成されている。
【００３０】
さらに、前記第２端子収容開口１１ｅの手前側の縁に対応する第２側壁部１１ｃの内側面には、内方へ突出する第１カード用進入防止第２凸部１１ｊが形成され、同様に、第１側壁部１１ｄの内側面には、内方へ突出する第１カード用進入防止第１凸部１１ｋが形成されている。左右の第１カード用進入防止第２凸部１１ｊ及び第１カード用進入防止第１凸部１１ｋの内側端間の寸法は、第１カード３１の前面における幅寸法よりも小さいので、第１カード３１の前面の位置が前記第１カード用進入防止第２凸部１１ｊ及び第１カード用進入防止第１凸部１１ｋによって規制され、第１カード３１が所定の位置よりも奥側に装填されることが確実に防止される。
【００３１】
また、前記第２側壁部１１ｃの第１カード用進入防止第２凸部１１ｊより奥側の部分は、厚肉に形成され、他の部分の内側面よりも内方に位置する第２カード用第１側面１１ｌを備える。同様に、前記第１側壁部１１ｄの第１カード用進入防止第１凸部１１ｋより奥側の部分は、厚肉に形成され、他の部分の内側面よりも内方に位置する第２カード用第２側面１１ｍを備える。そして、第２カード用第１側面１１ｌと第２カード用第２側面１１ｍとの間に、前記空洞部よりも幅の狭い幅狭空洞部が画定される。また、左右の第２カード用第１側面１１ｌ及び第２カード用第２側面１１ｍ間の寸法は、第１カード３１の前面における幅寸法、及び、第２カード４１の後端寄りの部分における幅寸法よりも小さいが、第２カード４１の前端近傍部分における幅狭部４４の幅寸法より大きい。
【００３２】
そして、第２カード４１は、その幅狭部４４が左右の第２カード用第１側面１１ｌ及び第２カード用第２側面１１ｍ間に位置するように装填される。この場合、第２カード４２を、後述される第１凹部４３ａが第１係合凸部１１ｇと係合し、幅狭部４４が第２カード用第１側面１１ｌ及び第２カード用第２側面１１ｍ間に位置するような姿勢で収容させることによって、第２カード４１を所定の位置に、所定の姿勢でハウジング１１に装填することができる。
【００３３】
さらに、第２カード用第１側面１１ｌの奥側の端部には、内方へ突出する第２カード用進入防止第１凸部１１ｎが形成され、同様に、第２カード用第２側面１１ｍの奥側の端部には、内方へ突出する第２カード用進入防止第２凸部１１ｏが形成されている。左右の第２カード用進入防止第１凸部１１ｎ及び第２カード用進入防止第２凸部１１ｏの内側端間の寸法は、第２カード４１の前端における幅寸法よりも小さいので、第２カード４１の前端の位置が前記第２カード用進入防止第１凸部１１ｎ及び第２カード用進入防止第２凸部１１ｏによって規制され、第２カード４１が所定の位置よりも奥側に装填されることが確実に防止される。
【００３４】
また、前記第２側壁部１１ｃ及び第１側壁部１１ｄの外側面には、カバー部材２１を蓋を閉じた状態で維持するためのカバー係合部１５が形成されている。該カバー係合部１５は、概略Ｌ字状に形成され、カバー部材２１のカバー係合片２４が進入する進入部１５ａ、及び、前記カバー係合片２４が係合する係合部１５ｂを備える。なお、図示される例においては、カバー係合部１５が左右に２つずつ形成されているが、カバー係合部１５の数は任意に設定することができ、例えば、左右に１つずつ形成されていてもよい。また、カバー係合片２４の数も、カバー係合部１５と同様に、任意に設定することができる。
【００３５】
さらに、前記第２側壁部１１ｃ及び第１側壁部１１ｄの外側面における奥側の端部近傍には、前後方向に向けて延在する支軸係合溝１６が形成されている。該支軸係合溝１６内には、カバー部材２１の回動支軸２６が、回動可能に、かつ、スライド可能に挿入されている。また、第２側壁部１１ｃ及び第１側壁部１１ｄの外側面には、カバー部材２１のロック片２５と係合して、カバー部材２１をスライド不能な状態にしてロックするロック凸部１７が形成されている。
【００３６】
一方、カバー部材２１は、概略矩（く）形状の天板部２２と、該天板部２２の両側縁に沿って前後方向に延在する側面部２３とを有する。なお、該側面部２３は、天板部２２と一体的に形成された部材であり、天板部２２に対してほぼ直角となるように折曲げることによって形成されている。そして、各側面部２３の奥側（図１における下側）の端部には前記回動支軸２６を備える枢軸部２３ａが形成されている。ここで、前記回動支軸２６は、枢軸部２３ａの内側面から内方へ向いて突出し、ハウジング１１の支軸係合溝１６内に回動可能に、かつ、スライド可能に挿入されている。これにより、前記カバー部材２１は、ハウジング１１に対して回動可能に、かつ、前後方向にスライド可能となっている。
【００３７】
また、各側面部２３は、下側（図１における手前側）端縁、すなわち、天板部２２と反対側の端縁に、カバー係合片２４を備える。該カバー係合片２４は、側面部２３から突出するように一体的に形成された舌片状の部材であり、側面部２３に対してほぼ直角となるように曲げることによって形成され、天板部２２とほぼ平行に内方へ向けて突出する。そして、前記カバー係合片２４は、カバー部材２１を回動させてハウジング１１の上方を覆って蓋をすると、ハウジング１１の第２側壁部１１ｃ及び第１側壁部１１ｄに形成された進入部１５ａに上方から進入し、さらに、カバー部材２１を手前側にスライドさせると、係合部１５ｂと係合して、カバー部材２１が開くことを防止する。
【００３８】
さらに、各側面部２３は、カンチレバー状のロック片２５を備える。該ロック片２５は、金属等の板材から成るカバー部材２１の一部を曲げ加工して形成されたものであり、弾性変形をすることによって、ばねとして機能する。そして、ロック片２５は、その根本部が側面部２３に一体的に接続され、側面部２３に沿って奥側から手前側に向けて延在する。また、ロック片２５の自由端、すなわち、先端は側面部２３よりも内方に位置する。そして、カバー部材２１を回動させてハウジング１１の上方を覆って蓋をし、さらに、カバー部材２１をハウジング１１の手前側にスライドさせると、前記ロック片２５の先端が第２側壁部１１ｃ及び第１側壁部１１ｄの外側面に形成されたロック凸部１７と係合する。これにより、カバー部材２１は、ハウジング１１の奥側へのスライドが不能となり、ロックされる。なお、ロック片２５の先端は、カバー係合片２４が係合部１５ｂと係合している状態で、ロック凸部１７と係合する。そのため、ロックすることによって、カバー部材２１が開くことを確実に防止する。
【００３９】
次に、第１カード３１及び第２カード４１について説明する。
【００４０】
図２は本発明の実施の形態における第１カードを示す三面図、図３は本発明の実施の形態における第２カードを示す三面図である。なお、図２及び３において、（ａ）は正面図、（ｂ）は下面図、（ｃ）は側面図である。
【００４１】
前述のように、本実施の形態において、第１カード３１は、メモリスティックマイクロ（Ｒ）であり、図２に示されるような略長方形の板状の形状を有し、各寸法は、長さ（図２（ｂ）における上下）が１５．０〔ｍｍ〕、幅（図２（ｂ）における左右）が１２．５〔ｍｍ〕、厚さ（図２（ｃ）における左右）が１．２〔ｍｍ〕である。そして、下面の前端寄りの位置には、複数のコンタクトパッド３２が前端縁に沿って並んだ状態で配設されている。また、第１カード３１の一方の側壁（図２（ｂ）における左側壁）には第１凹部３３ａ及び第２凹部３３ｂが形成され、他方の側壁（図２（ｂ）における右側壁）には第３凹部３３ｃが形成されている。
【００４２】
一方、第２カード４１は、マイクロＳＤ（Ｒ）カードであり、図３に示されるような略長方形の板状の形状を有し、各寸法は、長さ（図３（ｂ）における上下）が１５．０〔ｍｍ〕、幅（図３（ｂ）における左右）が１１．０〔ｍｍ〕、厚さ（図３（ｃ）における左右）が０．７〔ｍｍ〕である。そして、下面の前端寄りの位置には、複数のコンタクトパッド４２が前端縁に沿って並んだ状態で配設されている。
【００４３】
なお、第２カード４１のコンタクトパッド４２の数、ピッチ等は、第１カード３１のコンタクトパッド３２の数、ピッチ等と相違する。そのため、第２カード４１のコンタクトパッド４２に対応する第２端子１３の数、ピッチ等も、第１カード３１のコンタクトパッド３２に対応する第１端子１２の数、ピッチ等と相違する。
【００４４】
また、第２カード４１の一方の側壁（図３（ｂ）における左側壁）には第１凹部４３ａ及び第２凹部としての前方切欠部４３ｂが形成されている。該前方切欠部４３ｂは、第２カード４１の前端縁と前記一方の側壁との角部を所定範囲に亘って欠落させたものであり、略台形の形状を備える。これにより、第２カード４１の前端寄りの部分には後端寄りの部分よりも幅の狭い幅狭部４４が形成され、その幅寸法は９．７〔ｍｍ〕である。なお、前記幅狭部４４においても、左右の側壁は平行である。
【００４５】
次に、前記構成のカード用コネクタ１０にカードを装填する動作について説明する。まず、第１カード３１を装填する場合について説明する。
【００４６】
図４は本発明の実施の形態におけるカード用コネクタのハウジングに第１カードを装填した状態を示す図、図５は本発明の実施の形態におけるカード用コネクタのカバー部材を閉じた状態を示す図である。
【００４７】
この場合、図４に示されるように、カバー部材２１を蓋を開けた状態とする。この場合、第１カード３１の装填を容易に行うことができるように、カバー部材２１とハウジング１１との角度が９０度以上となるように、大きく開けておくことが望ましい。
【００４８】
続いて、電子機器の利用者等が手指等によって、第１カード３１をハウジング１１の底壁部１１ａ上に載置してハウジング１１内に装填する。この場合、第１カード３１の姿勢を、コンタクトパッド３２の形成された面、すなわち、下面が下を向いて底壁部１１ａに対向し、前端が第１カード用進入防止第２凸部１１ｊ及び第１カード用進入防止第１凸部１１ｋに対向するような姿勢にする。そして、第１凹部３３ａ及び第２凹部３３ｂがハウジング１１の第１係合凸部１１ｇ及び第２係合凸部１１ｈと各々係合し、かつ、第３凹部３３ｃが第３係合凸部１１ｉと係合するようにして、第１カード３１をハウジング１１の凹状の空洞部内に収容させる。
【００４９】
この際、第１カード３１の前端が下となるような起上がった姿勢に第１カード３１を保持し、まず、第１カード３１の前端をハウジング１１の第１カード用進入防止第２凸部１１ｊ及び第１カード用進入防止第１凸部１１ｋの近傍に当接させ、続いて、前記前端を中心として第１カード３１を回動させるようにして第１カード３１の後端を下方に移動させ、第１カード３１がほぼ平らな状態で底壁部１１ａ上に載置されてハウジング１１の凹状の空洞部内に収容されるようにすることが望ましい。このような手順で第１カード３１をハウジング１１の凹状の空洞部内に収容すると、起上がった姿勢の第１カード３１を手指等によって保持してカード用コネクタ１０内に移載し、その後、第１カード３１の保持を解除するだけでよいので、カード用コネクタ１０の周囲に他の電子部品が密集して実装されている場合のように、カード用コネクタ１０の周囲に十分なスペースが存在しない場合であっても、利用者等は、手指等によって第１カード３１を容易に取扱ってハウジング１１の凹状の空洞部内に収容することができる。
【００５０】
これにより、図４に示されるように、所定の姿勢で、かつ、所定の位置に第１カード３１をハウジング１１に装填することができる。この場合、第１カード３１は、ほぼ平らな状態で底壁部１１ａ上に載置されてハウジング１１の凹状の空洞部内に収容される。また、コンタクトパッド３２の各々は、第２端子１３よりも手前側に配設された第１端子１２の各々と対向する。
【００５１】
続いて、利用者等は、カバー部材２１を回動支軸２６を中心にして回動させて倒し、蓋を閉じた状態とする。これにより、ハウジング１１及び該ハウジング１１内に収容された第１カード３１の上方はカバー部材２１によって覆われる。そして、カバー係合片２４がハウジング１１の第２側壁部１１ｃ及び第１側壁部１１ｄに形成された進入部１５ａに上方から進入する。続いて、利用者等が手指等によってカバー部材２１を手前側にスライドさせると、カバー係合片２４が係合部１５ｂと係合する。また、カバー部材２１のロック片２５が、第２側壁部１１ｃ及び第１側壁部１１ｄのロック凸部１７と係合し、カバー部材２１をスライド不能な状態にしてロックする。これにより、図５に示されるような状態となり、カバー部材２１が開くことを確実に防止し、カード用コネクタ１０に第１カード３１を装着する動作が終了する。
【００５２】
なお、カード用コネクタ１０に装着された状態においては、第１カード３１が、カバー部材２１によって下方に押されてハウジング１１の底壁部１１ａの上面に押付けられ、カード用コネクタ１０の第１端子１２の先端部１２ｂが第１カード３１のコンタクトパッド３２に弾性的に当接し、確実に電気的に接続される。また、第１凹部３３ａ及び第２凹部３３ｂがハウジング１１の第１係合凸部１１ｇ及び第２係合凸部１１ｈと各々係合し、かつ、第３凹部３３ｃが第３係合凸部１１ｉと係合しているので、第１カード３１は、カード用コネクタ１０に対して前後方向に移動することがない。そのため、第１端子１２とコンタクトパッド３２との電気的接続が確実に維持され、かつ、第１カード３１がカード用コネクタ１０から離脱することが確実に防止される。
【００５３】
また、第１カード３１をハウジング１１の空洞部内において誤った位置に収容させることは確実に防止される。
【００５４】
まず、図４に示されるような所定の位置よりも奥側、すなわち、奥壁部１１ｂ寄りの幅狭空洞部内に第１カード３１を収容させることは、第１カード用進入防止第２凸部１１ｊ及び第１カード用進入防止第１凸部１１ｋによって防止される。左右の第１カード用進入防止第２凸部１１ｊ及び第１カード用進入防止第１凸部１１ｋの内側端間の寸法、及び、左右の第２カード用第１側面１１ｌ及び第２カード用第２側面１１ｍ間の寸法が第１カード３１の幅寸法よりも小さいので、第１カード用進入防止第２凸部１１ｊ及び第１カード用進入防止第１凸部１１ｋよりも奥側の幅狭空洞部内に第１カード３１を収容させることはできない。そのため、幅狭空洞部内に配設された第２端子１３は、第１カード３１と不要に接触して損傷を受けることがない。
【００５５】
また、図４に示されるような所定の位置よりも手前側、すなわち、奥壁部１１ｂと反対側の位置に第１カード３１を収容させることは、第１係合凸部１１ｇ、第２係合凸部１１ｈ及び第３係合凸部１１ｉによって防止される。第１カード３１の位置が所定の位置よりも手前側であると、第１カード３１の第１凹部３３ａ、第２凹部３３ｂ及び第３凹部３３ｃが第１係合凸部１１ｇ、第２係合凸部１１ｈ及び第３係合凸部１１ｉと係合することができないので、第１カード３１を収容させることはできない。
【００５６】
さらに、第１カード３１をハウジング１１の凹状の空洞部内において誤った姿勢で収容させることも、第１係合凸部１１ｇ、第２係合凸部１１ｈ及び第３係合凸部１１ｉによって防止される。図２（ｂ）に示されるように、第１カード３１の第１凹部３３ａ、第２凹部３３ｂ及び第３凹部３３ｃは、第１カード３１の長手方向の中心軸に関して、非対称に配設されている。また、第１係合凸部１１ｇ、第２係合凸部１１ｈ及び第３係合凸部１１ｉも、同様に配設されている。そのため、第１カード３１が表裏逆様の姿勢、又は、前後逆様の姿勢であると、第１カード３１の第１凹部３３ａ、第２凹部３３ｂ及び第３凹部３３ｃが第１係合凸部１１ｇ、第２係合凸部１１ｈ及び第３係合凸部１１ｉと係合することができないので、第１カード３１を収容させることはできない。
【００５７】
次に、第２カード４１を装填する場合について説明する。
【００５８】
図６は本発明の実施の形態におけるカード用コネクタのハウジングに第２カードを装填した状態を示す図である。
【００５９】
第１カード３１の場合と同様、図６に示されるように、カバー部材２１を蓋を開けた状態とする。この場合、第２カード４１の装填を容易に行うことができるように、カバー部材２１とハウジング１１との角度が９０度以上となるように、大きく開けておくことが望ましい。
【００６０】
続いて、電子機器の利用者等が手指等によって、第２カード４１をハウジング１１の底壁部１１ａ上に載置してハウジング１１内に装填する。この場合、第２カード４１の姿勢を、コンタクトパッド４２の形成された面、すなわち、下面が下を向いて底壁部１１ａに対向し、前端が第２カード用進入防止第１凸部１１ｎ及び第２カード用進入防止第２凸部１１ｏに対向するような姿勢にする。そして、第１凹部４３ａがハウジング１１の第１係合凸部１１ｇと係合し、ハウジング１１の第１カード用進入防止第１凸部１１ｋが前方切欠部４３ｂ内に位置し、幅狭部４４の前端寄りの部分が第２カード用第１側面１１ｌと第２カード用第２側面１１ｍとの間の幅狭空洞部内に位置するようにして、第２カード４１をハウジング１１の凹状の空洞部内に収容させる。
【００６１】
この際、第２カード４１の前端が下となるような起上がった姿勢に第２カード４１を保持し、まず、第２カード４１の前端をハウジング１１の第２カード用進入防止第１凸部１１ｎ及び第２カード用進入防止第２凸部１１ｏの近傍に当接させ、続いて、前記前端を中心として第２カード４１を回動させるようにして第２カード４１の後端を下方に移動させ、第２カード４１がほぼ平らな状態で底壁部１１ａ上に載置されてハウジング１１の凹状の空洞部内に収容されるようにすることが望ましい。このような手順で第２カード４１をハウジング１１の凹状の空洞部内に収容すると、起上がった姿勢の第２カード４１を手指等によって保持してカード用コネクタ１０内に移載し、その後、第２カード４１の保持を解除するだけでよいので、カード用コネクタ１０の周囲に他の電子部品が密集して実装されている場合のように、カード用コネクタ１０の周囲に十分なスペースが存在しない場合であっても、利用者等は、手指等によって第２カード４１を容易に取扱ってハウジング１１の凹状の空洞部内に収容することができる。
【００６２】
これにより、図６に示されるように、所定の姿勢で、かつ、所定の位置に第２カード４１をハウジング１１に装填することができる。この場合、第２カード４１は、ほぼ平らな状態で底壁部１１ａ上に載置されてハウジング１１の空洞部内に収容される。また、幅狭部４４の前端寄りの部分が幅狭空洞部内に位置し、コンタクトパッド４２の各々は、第２端子１３の各々と対向する。
【００６３】
続いて、利用者等は、第１カード３１の場合と同様に、カバー部材２１を回動支軸２６を中心にして回動させて倒し、蓋を閉じた状態とする。これにより、ハウジング１１及び該ハウジング１１内に収容された第２カード４１の上方はカバー部材２１によって覆われ、カバー係合片２４がハウジング１１の第２側壁部１１ｃ及び第１側壁部１１ｄに形成された進入部１５ａに上方から進入する。続いて、利用者等が手指等によってカバー部材２１を手前側にスライドさせると、カバー係合片２４が係合部１５ｂと係合し、カバー部材２１のロック片２５が、第２側壁部１１ｃ及び第１側壁部１１ｄのロック凸部１７と係合し、カバー部材２１をスライド不能な状態にしてロックする。これにより、カバー部材２１が開くことを確実に防止し、カード用コネクタ１０に第２カード４１を装着する動作が終了する。
【００６４】
なお、カード用コネクタ１０に装着された状態においては、第２カード４１が、カバー部材２１によって下方に押されてハウジング１１の底壁部１１ａの上面に押付けられ、カード用コネクタ１０の第２端子１３の先端部１３ｂが第２カード４１のコンタクトパッド４２に弾性的に当接し、確実に電気的に接続される。また、第１凹部４３ａがハウジング１１の第１係合凸部１１ｇと係合しているので、第２カード４１は、カード用コネクタ１０に対して前後方向に移動することがない。そのため、第２端子１３とコンタクトパッド４２との電気的接続が確実に維持され、かつ、第２カード４１がカード用コネクタ１０から離脱することが確実に防止される。
【００６５】
また、第２カード４１をハウジング１１の空洞部内において誤った位置に収容させることは確実に防止される。
【００６６】
まず、図６に示されるような所定の位置よりも奥側、すなわち、奥壁部１１ｂ寄りの位置に第２カード４１を収容させることは、第２カード用進入防止第１凸部１１ｎ及び第２カード用進入防止第２凸部１１ｏによって防止される。左右の第２カード用進入防止第１凸部１１ｎ及び第２カード用進入防止第２凸部１１ｏの内側端間の寸法が第２カード４１の幅狭部４４の幅寸法よりも小さいので、第２カード用進入防止第１凸部１１ｎ及び第２カード用進入防止第２凸部１１ｏよりも奥側に第２カード４１を収容させることはできない。
【００６７】
また、図６に示されるような所定の位置よりも手前側、すなわち、奥壁部１１ｂと反対側の位置に第２カード４１を収容させることは、第１係合凸部１１ｇによって防止される。第２カード４１の位置が所定の位置よりも手前側であると、第２カード４１の第１凹部４３ａが第１係合凸部１１ｇと係合することができないので、第２カード４１を収容させることはできない。なお、第１凹部４３ａは、サイズが小さいので、第２係合凸部１１ｈ及び第３係合凸部１１ｉとは係合不能である。
【００６８】
さらに、第２カード４１をハウジング１１の凹状の空洞部内において誤った姿勢で収容させることも、第１係合凸部１１ｇ、第２係合凸部１１ｈ及び第３係合凸部１１ｉ並びに第２カード用第１側面１１ｌ及び第２カード用第２側面１１ｍによって防止される。図３（ｂ）に示されるように、第２カード４１の第１凹部４３ａ及び前方切欠部４３ｂは、第２カード４１の長手方向の中心軸に関して、非対称に配設されている。また、第１係合凸部１１ｇも同様に配設されている。そのため、第２カード４１が表裏逆様の姿勢、又は、前後逆様の姿勢であると、第２カード４１の第１凹部４３ａが第１係合凸部１１ｇと係合することができず、また、第２カード４１の幅狭部４４が第２カード用第１側面１１ｌと第２カード用第２側面１１ｍとの間の幅狭空洞部内に位置することができないので、第２カード４１を収容させることはできない。
【００６９】
このように、本実施の形態において、ハウジング１１は、第１カード３１及び第２カード４１を収容する空洞部、及び、該空洞部の奥側に形成され、第２カード４１の幅狭部４４よりも幅が広く、第１カード３１よりも幅の狭い幅狭空洞部を備え、第１カード３１は幅狭空洞部内に位置しないように空洞部内に収容され、第２カード４１は、幅狭部４４の少なくとも一部が幅狭空洞部内に位置するように空洞部内に収容される。そのため、カード用コネクタ１０は、２種類のカード、すなわち、第１カード３１及び第２カード４１の装填位置が、その先端部の幅寸法に応じて、前後方向に相違するようになっている。これにより、第１カード３１及び第２カード４１を排他的に装填することができ、厚さ寸法が微小で小型なカード用コネクタ１０を得ることができる。さらに、第１カード３１及び第２カード４１を容易に、かつ、確実に装填することができる。
【００７０】
また、第２端子１３は幅狭空洞部内に配設され、第１端子１２は幅狭空洞部よりも手前側の位置に配設されている。そのため、第２端子１３は、第１カード３１と不要に接触して損傷を受けることがない。
【００７１】
さらに、ハウジング１１は、第１側壁部１１ｄに形成された第１係合凸部１１ｇ及び第２係合凸部１１ｈ、並びに、第２側壁部１１ｃに形成された第３係合凸部１１ｉを備え、第１カード３１は、一方の側壁に形成された第１凹部３３ａ及び第２凹部３３ｂ、並びに、他方の側壁に形成された第３凹部３３ｃを備え、前記第１凹部３３ａ、第２凹部３３ｂ及び第３凹部３３ｃが、前記第１係合凸部１１ｇ、第２係合凸部１１ｈ及び第３係合凸部１１ｉに各々係合するようにハウジング１１の空洞部内に収容され、第２カード４１は、一方の側壁に形成された第１凹部４３ａを備え、該第１凹部４３ａが前記第１係合凸部１１ｇに係合するようにハウジング１１の空洞部内に収容される。
【００７２】
これにより、第１カード３１及び第２カード４１は、ハウジング１１の空洞部内の所定の位置に所定の姿勢で収容される。また、第１カード３１及び第２カード４１がカード用コネクタ１０に対して前後方向に移動することがないので、第１端子１２とコンタクトパッド３２との電気的接続、及び、第２端子１３とコンタクトパッド４２との電気的接続が確実に維持される。さらに、第１カード３１及び第２カード４１がカード用コネクタ１０から離脱することが確実に防止される。
【００７３】
さらに、ハウジング１１は、幅狭空洞部の境界において第１側壁部１１ｄに形成された第１カード用進入防止第１凸部１１ｋ及び第２側壁部１１ｃに形成された第１カード用進入防止第２凸部１１ｊを備え、第１カード３１は、前端が前記第１カード用進入防止第１凸部１１ｋ及び第１カード用進入防止第２凸部１１ｊに対向するようにハウジング１１の空洞部内に収容され、第２カード４１は、前方切欠部４３ｂを備え、前記第１カード用進入防止第１凸部１１ｋが前方切欠部４３ｂ内に位置するようにハウジング１１の空洞部内に収容される。
【００７４】
これにより、第１カード３１及び第２カード４１は、ハウジング１１の空洞部内の所定の位置に所定の姿勢で収容される。
【００７５】
なお、本発明は前記実施の形態に限定されるものではなく、本発明の趣旨に基づいて種々変形させることが可能であり、それらを本発明の範囲から排除するものではない。
【図面の簡単な説明】
【００７６】
【図１】本発明の実施の形態におけるカード用コネクタを示す斜視図である。
【図２】本発明の実施の形態における第１カードを示す三面図である。
【図３】本発明の実施の形態における第２カードを示す三面図である。
【図４】本発明の実施の形態におけるカード用コネクタのハウジングに第１カードを装填した状態を示す図である。
【図５】本発明の実施の形態におけるカード用コネクタのカバー部材を閉じた状態を示す図である。
【図６】本発明の実施の形態におけるカード用コネクタのハウジングに第２カードを装填した状態を示す図である。
【図７】従来のカード用コネクタを示す図である。
【符号の説明】
【００７７】
１０    カード用コネクタ
１１、３０１    ハウジング
１１ａ    底壁部
１１ｂ    奥壁部
１１ｃ    第２側壁部
１１ｄ    第１側壁部
１１ｅ    第２端子収容開口
１１ｆ    第１端子収容開口
１１ｇ    第１係合凸部
１１ｈ    第２係合凸部
１１ｉ    第３係合凸部
１１ｊ    第１カード用進入防止第２凸部
１１ｋ    第１カード用進入防止第１凸部
１１ｌ    第２カード用第１側面
１１ｍ    第２カード用第２側面
１１ｎ    第２カード用進入防止第１凸部
１１ｏ    第２カード用進入防止第２凸部
１２    第１端子
１２ａ、１３ａ、１４ａ    ソルダーテール部
１２ｂ、１３ｂ    先端部
１３    第２端子
１４    ディテクトスイッチ
１５    カバー係合部
１５ａ    進入部
１５ｂ    係合部
１６    支軸係合溝
１７    ロック凸部
１８    取付用補助金具
２１    カバー部材
２２    天板部
２３    側面部
２３ａ    枢軸部
２４    カバー係合片
２５    ロック片
２６    回動支軸
３１    第１カード
３２、４２、３０７    コンタクトパッド
３３ａ、４３ａ    第１凹部
３３ｂ    第２凹部
３３ｃ    第３凹部
４１    第２カード
４４    幅狭部
４３ｂ    前方切欠部
３０２    第１のコネクタ端子
３０３    内底面
３０４    窓孔部
３０５    収容凹部
３０６    第２のカード
【図１】
0004703493.tif 000002
【図２】
0004703493.tif 000003
【図３】
0004703493.tif 000004
【図４】
0004703493.tif 000005
【図５】
0004703493.tif 000006
【図６】
0004703493.tif 000007
【図７】
0004703493.tif 000008